(57)【要約】【課題】噴霧ノズルによる噴霧の開始時、終了時の何れか或は両者において、噴霧ノズルからの水の滴下を防止し得るようにする。【解決手段】高圧ポンプ２から第一の管路４を介して噴霧ノズル５へ送水し、感圧逆止弁を開いて噴霧ノズル５から水Ｗを噴霧する水噴霧設備であって、第一の管路４には、第二の管路２３を介して与圧タンク２２を接続させると共に、第一の管路４の第二の管路２３接続位置Ａよりも送水方向下流側で噴霧ノズル５よりも送水方向上流側には、第一の開閉弁２４を設ける。【選択図】図１
2010075889.tif 000002
【特許請求の範囲】
【請求項１】
ポンプから第一の管路を介して送水された水を噴霧する感圧逆止弁を有する噴霧ノズルと、
前記第一の管路の中途部に第二の管路を介して接続された与圧タンクと、
前記第一の管路における前記噴霧ノズルよりも送水方向上流側で且つ第二の管路接続位置よりも送水方向下流側に設けられた第一の開閉弁とを備えた
こと特徴とする水噴霧設備。
【請求項２】
ポンプから第一の管路を介して送水された水を噴霧する感圧逆止弁を有する噴霧ノズルと、
前記ポンプの入側に接続された第三の管路に第四の管路を介して接続された膨張タンクと、
前記第一の管路と第四の管路に接続された第五の管路、に設けられた第二の開閉弁とを備えた
ことを特徴とする水噴霧設備。
【請求項３】
ポンプから第一の管路を介して送水された水を噴霧する感圧逆止弁を有する噴霧ノズルと、
前記第一の管路に第二の管路を介して接続された与圧タンクと、
前記第一の管路における前記噴霧ノズルよりも送水方向上流側で且つ第二の管路接続位置よりも送水方向下流側に設けられた第一の開閉弁と、
前記ポンプの入側に接続された第三の管路に第四の管路を介して接続された膨張タンクと、
前記第二の管路の第一の管路に対する接続位置よりも送水方向上流側において第一の管路に接続されると共に前記第四の管路に接続された第五の管路、に設けられた第二の開閉弁とを備えた
ことを特徴とする水噴霧設備。
【請求項４】
ポンプから第一の管路を介して送水された水を噴霧する感圧逆止弁を有する噴霧ノズルと、
前記第一の管路に第二の管路を介して接続された与圧タンクと、
前記第二の管路の与圧タンクに対する接続位置と第一の管路に対する接続位置との間に設けられた第一の開閉弁とを備えた
こと特徴とする水噴霧設備。
【請求項５】
共通ポンプから送水された水を噴霧する複数の噴霧系列を備え、
各噴霧系列は、
前記共通ポンプから第六の管路を介して分岐された第一の管路を介し送水された水を噴霧する感圧逆止弁を有する噴霧ノズルと、
前記第一の管路に第二の管路を介して接続された与圧タンクと、
前記第一の管路における前記噴霧ノズルよりも送水方向上流側で且つ第二の管路接続位置よりも送水方向下流側に設けられた第一の開閉弁と、
前記第一の管路において第二の管路の接続位置よりも送水方向上流側に設けられた第三の開閉弁とを備えた
こと特徴とする水噴霧設備。
【請求項６】
共通ポンプから送水された水を噴霧する複数の噴霧系列を備え、
各噴霧系列は、
前記共通ポンプから第六の管路を介して分岐された第一の管路を介し送水された水を噴霧する感圧逆止弁を有する噴霧ノズルと、
前記第一の管路に設けられた第三の開閉弁とを備え、
前記共通ポンプの入側に接続された第三の管路に第四の管路を介して接続された膨張タンク側と前記各噴霧系列の第一の管路における第三の開閉弁接続位置よりも送水方向下流側とは、第二の開閉弁を有する第五の管路及び第五の管路を集合させた第七の管路を介して接続されていることを特徴とする水噴霧設備。
【請求項７】
共通ポンプから送水された水を噴霧する複数の噴霧系列を備え、
各噴霧系列は、
共通ポンプから第六の管路を介して分岐された第一の管路を介し送水された水を噴霧する感圧逆止弁を有する噴霧ノズルと、
前記第一の管路に第二の管路を介して接続された与圧タンクと、
前記第一の管路における前記噴霧ノズルよりも送水方向上流側で且つ第二の管路接続位置よりも送水方向下流側に設けられた第一の開閉弁と、
前記第一の管路において第二の管路の接続位置よりも送水方向上流側に設けられた第三の開閉弁とを備え、
前記共通ポンプの入側に接続された第三の管路に第四の管路を介して接続された膨張タンク側と、前記各噴霧系列の第一の管路における第三の開閉弁接続位置よりも送水方向下流側で第二の管路接続位置よりも送水方向上流側とは、第二の開閉弁を有する第五の管路及び第五の管路を集合させた第七の管路を介し接続されていることを特徴とする水噴霧設備。
【請求項８】
噴霧ノズルの感圧逆止弁は、弾撥体と該弾撥体により押圧されて閉止される弁体とを備え、弁体は前記第一の管路からの水圧により、弾撥体の抗力に抗して開くよう構成されていることを特徴とする請求項１乃至７の何れかに記載の水噴霧設備。
【請求項９】
請求項１に記載の水噴霧設備の運転方法であって、水の噴霧を開始する際には、第一の開閉弁を閉止してポンプにより与圧タンクに蓄圧した後、第一の開閉弁を開き、ポンプ及び与圧タンクからの水圧により噴霧ノズルの感圧逆止弁を開き、水の噴霧を開始することを特徴とする水噴霧設備の運転方法。
【請求項１０】
請求項２に記載の水噴霧設備の運転方法であって、水の噴霧を終了する際には、ポンプを停止すると共に、第二の開閉弁を開いて第一の管路の圧力を膨張タンクに瞬時に逃がすことにより噴霧ノズルの感圧逆止弁に対する水圧を低下させ、噴霧ノズルの感圧逆止弁を閉止させることを特徴とする水噴霧設備の運転方法。
【請求項１１】
請求項３に記載の水噴霧設備の運転方法であって、水の噴霧を開始する際には、第一の開閉弁を閉止してポンプにより与圧タンクに蓄圧した後、第一の開閉弁を開きポンプ及び与圧タンクの水圧により噴霧ノズルの感圧逆止弁を開き水の噴霧を開始し、
水の噴霧を終了する際には、ポンプを停止すると共に、第二の開閉弁を開いて第一の管路の圧力を膨張タンクに瞬時に逃がすことにより噴霧ノズルの感圧逆止弁に対する水圧を低下させ、噴霧ノズルの感圧逆止弁を閉止させることを特徴とする水噴霧設備の運転方法。
【請求項１２】
請求項４に記載の水噴霧設備の運転方法であって、水の噴霧を開始する際には、ポンプを起動した状態で第一の開閉弁を開いて与圧タンクに蓄圧すると共に噴霧ノズルの入側の水圧をも上昇させた状態で第一の開閉弁を閉止し、次回からの噴霧ノズルからの水の噴霧時にはポンプの起動時に第一の開閉弁を開いてポンプ及び与圧タンクからの水圧により、噴霧ノズルの感圧逆止弁を開き、水の噴霧を開始することを特徴とする水噴霧設備の運転方法。
【請求項１３】
請求項５に記載の水噴霧設備の運転方法であって、複数の噴霧系列のうち所定の噴霧系列において水の噴霧を開始する際には、水の噴霧を行わない系列の第三の開閉弁は閉止したまま、共通ポンプが運転されている状態で水の噴霧を行う系列の第三の開閉弁を開くと共に当該系列の第一の開閉弁を閉止した状態で当該系列の与圧タンクに蓄圧し、しかる後、当該系列の第一の開閉弁を開き、共通ポンプ及び当該系列の与圧タンクからの水圧により噴霧ノズルの感圧逆止弁を開き、水の噴霧を開始することを特徴とする水噴霧設備の運転方法。
【請求項１４】
請求項６に記載の水噴霧設備の運転方法であって、複数の噴霧系列のうち水の噴霧を行っている所定の噴霧系列において水の噴霧を終了する際には、水の噴霧を行なっていない系列の第三の開閉弁は閉止したまま、共通ポンプが運転されている状態で水の噴霧を終了する系列の第三の開閉弁を閉止すると共に当該系列の第一の開閉弁及び第二の開閉弁を開いた状態で第一の管路の圧力を膨張タンクに瞬時に逃がすことにより噴霧ノズルの感圧逆止弁に対する水圧を低下させ、噴霧ノズルの感圧逆止弁を閉止させることを特徴とする水噴霧設備の運転方法。
【請求項１５】
請求項７に記載の水噴霧設備の運転方法であって、複数の噴霧系列のうち所定の噴霧系列において水の噴霧を開始する際には、水の噴霧を行わない系列の第三の開閉弁は閉止したまま、共通ポンプが運転されている状態で水の噴霧を行う系列の第三の開閉弁を開くと共に当該系列の第一の開閉弁及び第二の開閉弁を閉止した状態で当該系列の与圧タンクに蓄圧し、しかる後、当該系列の第一の開閉弁を開いて共通ポンプ及び与圧タンクからの水圧により噴霧ノズルの感圧逆止弁を開いて水の噴霧を開始し、
水の噴霧を行っている当該噴霧系列において水の噴霧を終了する際には、水の噴霧を行なっていない系列の第三の開閉弁は閉止したまま、共通ポンプが運転されている状態で水の噴霧を終了する系列の第三の開閉弁を閉止すると共に当該系列の第一の開閉弁及び第二の開閉弁を開いた状態で第一の管路の圧力を瞬時に膨張タンクに逃がすことにより噴霧ノズルの感圧逆止弁に対する水圧を低下させ、噴霧ノズルの感圧逆止弁をを閉止させることを特徴とする水噴霧設備の運転方法。
【請求項１６】
噴霧ノズルの感圧逆止弁は、第一の管路の水圧が所定の値よりも低い場合は、弁体が弾撥体に押圧されて閉止され、第一の管路の水圧が所定の値よりも高い場合は、弁体は弾撥体の弾撥力に抗して開く請求項９乃至１５の何れかに記載の水噴霧設備の運転方法。
【発明の詳細な説明】
【技術分野】
【０００１】
本発明は、空中に噴霧されたミストの蒸発潜熱を利用して、周囲の温度を下降させるための水噴霧設備及び水噴霧設備の運転方法に関するものである。
【背景技術】
【０００２】
博覧会等のパビリオン等の集客施設が設置された屋外や熱源を有する大型機器が設置された屋内においては、周囲の温度を下降させるため水噴霧設備を使用し、ポンプにより所定圧に加圧された水を噴霧ノズルから噴霧することによりミストを生成させ、このミストの蒸発潜熱により、周囲の温度を下降させることが行われている。
【０００３】
斯かる水噴霧設備の従来の例は、図１１に示されている。図中、１は水道水等の水Ｗが貯留される水槽、２は水槽１から管路３を通り供給された水Ｗを加圧して送給する高圧ポンプ、４は加圧されて高圧ポンプ２から送出された水Ｗが送給される管路、５は管路４の送水方向下流側に並列接続された複数の分岐管路６に夫々接続された噴霧ノズル、７は高圧ポンプ２の出側近傍において管路４に設けられた逆止弁、８は高圧ポンプ２と逆止弁７との間において管路４に接続された安全弁、９は管路４の送水方向下流側先端に設けられた空気抜き用の弁である。
【０００４】
図１１の水噴霧設備に使用する噴霧ノズル５の詳細は図１２に示されている。而して、噴霧ノズル５は、軸心部に中空部１０が形成されると共に、下端に中空部１０に連通する小径の噴霧孔１１が穿設されたノズル本体１２と、ノズル本体１２の上端部において中空部１０に螺合されると共に、軸心部に水供給路１３が穿設され且つ水供給路１３の上端部には、フィルタ１４が嵌合されたプラグ１５と、噴霧孔１１側に位置するよう中空部１０内に嵌合されると共に、外周に螺旋状の溝１６が形成されたブロック１７と、プラグ１５の水供給路１３を開閉し得るよう、中空部１０内に収納された金属球状の弁体１８と、弁体１８をプラグ１５下端において水供給路１３の外周に形成した座部１５ａ側へ付勢し得るよう、プラグ１５とブロック１７との間において中空部１０内に収納されたコイルバネ等の弾撥体１９を備えている。而して、噴霧ノズル５においては、弁体１８と弾撥体１９により水Ｗに対する感圧逆止弁２０が形成されており、プラグ１５の中空部１０に対する軸線方向位置を調整することにより、噴霧孔１１から噴霧される水Ｗの圧力を調整し得るようになっている。又、噴霧ノズル５は、ノズル本体１２を介して分岐管路６の下端に螺合されている。図中、２１は中空部１０下端の漏斗状の斜面である。
【０００５】
図１１に示す水噴霧設備においては、高圧ポンプ２を駆動すると、水槽１内の水Ｗは管路３から高圧ポンプ２へ導入され、高圧ポンプ２により加圧されて管路４、分岐管路６を経て噴霧ノズル５へ送給される。
【０００６】
噴霧ノズル５へ供給された水Ｗは、フィルタ１４において微小なごみを除去され、水供給路１３を経て弁体１８に至る。而して、弁体１８に作用する水圧が予め調整された弾撥体１９の撓み量により設定された所定の圧力（例えば、１ＭＰａ）になると、弾撥体１９の弾撥力に抗して弁体１８が座部１５ａから離反して開き始め、水Ｗは水供給路１３から中空部１０を経てブロック１７の溝１６により旋回流となり、中空部１０下端の漏斗状の斜面２１に衝突し、噴霧孔１１を経て噴霧孔１１の下端出口を頂点とする円錐状に広がるミストとなって外部に噴霧を開始され、ミストの蒸発潜熱により周囲の温度が下降させられる。正常噴霧時における水Ｗの水圧は約６ＭＰａ程度である。
【０００７】
噴霧が終了して高圧ポンプ２を停止すると、管路４から噴霧ノズル５までの圧力が低下して水Ｗの噴霧は停止され、弁体１８に作用する圧力が前記所定の圧力（例えば、１ＭＰａ）よりも下降すると、弾撥体１９により付勢された弁体１８は上昇し、座部１５ａに当接する。このため、水供給路１３が閉じられて噴霧ノズル５の感圧逆止弁２０が閉止する。
【０００８】
屋内や屋外において周囲の温度を下降させるため、高圧ポンプにより６ＭＰａ程度に加圧された水をノズルから噴霧することにより粒径が約１０〜３０μｍ程度のミストを生成させ、このミストの蒸発潜熱により、周囲の温度を下降させる水噴霧設備としては特許文献１がある。
【０００９】
特許文献１では、水を加圧して送り出すポンプと、該ポンプに元弁を介して接続される主配水管と、該主配水管に選択弁を介して接続され、前記主配水管と噴霧ヘッドとを連通する子配水管と、前記主配水管に排水弁を介して接続され、前記主配水管内の水を排水する排水配管と、前記子排水管に噴霧ヘッダ、延長配管を介して接続された噴霧ノズルを備えている。
【００１０】
而して、特許文献１においては、噴霧開始時には、選択弁は閉止させた状態で元弁と排水弁を開放し、次いでポンプを起動する。そうすると、主配水管内に残存していた空気が排水配管から水と共に押出されて主配水管内に均一な水圧が掛かるようになる。そこで、排水弁を閉止すると、主配水管内の水圧が所定の圧力（６ＭＰａ）に達する。次いで、選択弁を開放して水を主配水管から子排水管、噴霧ヘッダ、延長配管を介して、噴霧ノズルへ供給し、噴霧ノズルにより水の噴霧を行う。
【００１１】
又、噴霧終了時には、排水弁を開放すると、子排水管等を介して噴霧ノズルの圧力が低下して閉止する。而して、排水弁が開放されてから、若干遅れて元弁と排水弁を停止する。
【特許文献１】特開２００６−１７７５７７号公報
【発明の開示】
【発明が解決しようとする課題】
【００１２】
図１１に示す水噴霧設備においては、定常運転時には、高圧ポンプ２の起動、停止による、管路４内延いては、噴霧ノズル５入側の圧力（水圧）は図１３に示すようになる。すなわち、高圧ポンプ２が停止している際には、管路４内延いては、噴霧ノズル５入口部の圧力は、水槽１に貯留されている水Ｗの水面と噴霧ノズル５の高さとの差に基く水頭圧（例えば、約０．２ＭＰａ程度）であるが、高圧ポンプ２の運転開始後に、高圧ポンプ２
の吐出圧力が所定の圧力（約６ＭＰａ程度）になるには、時間遅れＴ１がある。又、高圧ポンプ２の運転停止後に高圧ポンプ２の吐出圧力が低下して元の圧力（約０．２ＭＰａ）まで下降するには、時間遅れＴ２がある。更に、管路４等が高圧ホースのような場合には、高圧ポンプ２の起動、停止による圧力の変動により、管路４等の膨張、収縮が生じるため、管路４内の水圧が所定の圧力まで上昇し、或は停止時に所定の圧力まで低下するには、時間遅れＴ１，Ｔ２は大きくなる。
【００１３】
一方、高圧ポンプ２が運転されて、図１２の噴霧ノズル５における感圧逆止弁２０の弁体１８に作用する圧力が、設定圧（例えば、約１ＭＰａ程度）になると、弁体１８が開き始める。而して、弁体１８とプラグ１５の座部１５ａとの隙間が小さい間は、水Ｗの水圧が低く、流量が少ないため、中空部１０から溝１６を通って送給された水Ｗは、旋回流を形成せずに噴霧孔１１からミストの状態では噴霧されず、水滴となって滴下する。又、弁体１８とプラグ１５の座部との隙間が大きくなり、水圧が所定の圧力まで昇圧すると、水Ｗは噴霧孔１１から滴下せず、噴霧孔１１の下端出口を頂点として円錐状に広がる噴霧が開始される。
【００１４】
又、高圧ポンプ２の停止時に、水圧が下降して所定の圧力よりも下降すると、弾撥体１９の弾撥力により弁体１８が閉じ始めるため、弁体１８とプラグ１５の座部１５ａとの隙間が小さくなり、設定圧よりも低くなると、弁体１８は完全に閉止するが、水圧が所定の圧力よりも低下した後、弁体１８が完全に閉止するまでの間は、水Ｗは噴霧孔１１から水滴となって滴下する。図１３において時間ｔ１、ｔ２は高圧ポンプ２の運転、停止時に水Ｗが噴霧ノズル５の噴霧孔１１から滴下する時間である。
【００１５】
而して、噴霧の開始時及び終了時に水Ｗが噴霧ノズル５から噴霧されずに滴下すると、水滴が落下して人に掛かったり、周囲を濡らす虞があり好ましくない。又、特許文献１では、高圧ポンプの停止時には水の滴下を防止することができるが、子配水管が長い場合には、運転開始時には子配水管の圧力上昇が十分になり難く、水の滴下を防止することができないことが考えられる。
【００１６】
本発明は、上述の実情に鑑み、噴霧ノズルによる噴霧の開始、終了の何れか、或は開始、終了の両方において、噴霧ノズルからの水の滴下を防止し得るようにした水噴霧設備及び水噴霧設備の運転方法を提供することを目的としてなしたものである。
【課題を解決するための手段】
【００１７】
請求項１の水噴霧設備は、
ポンプから第一の管路を介して送水された水を噴霧する感圧逆止弁を有する噴霧ノズルと、
前記第一の管路の中途部に第二の管路を介して接続された与圧タンクと、
前記第一の管路における前記噴霧ノズルよりも送水方向上流側で且つ第二の管路接続位置よりも送水方向下流側に設けられた第一の開閉弁とを備えたものである。
【００１８】
請求項２の水噴霧設備は、
ポンプから第一の管路を介して送水された水を噴霧する感圧逆止弁を有する噴霧ノズルと、
前記ポンプの入側に接続された第三の管路に第四の管路を介して接続された膨張タンクと、
前記第一の管路と第四の管路に接続された第五の管路、に設けられた第二の開閉弁とを備えたものである。
【００１９】
請求項３の水噴霧設備は、
ポンプから第一の管路を介して送水された水を噴霧する感圧逆止弁を有する噴霧ノズルと、
前記第一の管路に第二の管路を介して接続された与圧タンクと、
前記第一の管路における前記噴霧ノズルよりも送水方向上流側で且つ第二の管路接続位置よりも送水方向下流側に設けられた第一の開閉弁と、
前記ポンプの入側に接続された第三の管路に第四の管路を介して接続された膨張タンクと、
前記第二の管路の第一の管路に対する接続位置よりも送水方向上流側において第一の管路に接続されると共に前記第四の管路に接続された第五の管路、に設けられた第二の開閉弁とを備えたものである。
【００２０】
請求項４の水噴霧設備は、
ポンプから第一の管路を介して送水された水を噴霧する感圧逆止弁を有する噴霧ノズルと、
前記第一の管路に第二の管路を介して接続された与圧タンクと、
前記第二の管路の与圧タンクに対する接続位置と第一の管路に対する接続位置との間に設けられた第一の開閉弁とを備えたものである。
【００２１】
請求項５の水噴霧設備は、
共通ポンプから送水された水を噴霧する複数の噴霧系列を備え、
各噴霧系列は、
共通ポンプから第六の管路を介して分岐された第一の管路を介し送水された水を噴霧する感圧逆止弁を有する噴霧ノズルと、
前記第一の管路に第二の管路を介して接続された与圧タンクと、
前記第一の管路における前記噴霧ノズルよりも送水方向上流側で且つ第二の管路接続位置よりも送水方向下流側に設けられた第一の開閉弁と、
前記第一の管路において第二の管路の接続位置よりも送水方向上流側に設けられた第三の開閉弁とを備えたものである。
【００２２】
請求項６の水噴霧設備は、
共通ポンプから送水された水を噴霧する複数の噴霧系列を備え、
各噴霧系列は、
前記共通ポンプから第六の管路を介して分岐された第一の管路を介し送水された水を噴霧する感圧逆止弁を有する噴霧ノズルと、
前記第一の管路に設けられた第三の開閉弁とを備え、
前記共通ポンプの入側に接続された第三の管路に第四の管路を介して接続された膨張タンク側と前記各噴霧系列の第一の管路における第三の開閉弁接続位置よりも送水方向下流側とは、第二の開閉弁を有する第五の管路及び第五の管路を集合させた第七の管路を介して接続されているものである。
【００２３】
請求項７の水噴霧設備は、
共通ポンプから送水された水を噴霧する複数の噴霧系列を備え、
各噴霧系列は、
共通ポンプから第六の管路を介して分岐された第一の管路を介し送水された水を噴霧する感圧逆止弁を有する噴霧ノズルと、
前記第一の管路に第二の管路を介して接続された与圧タンクと、
前記第一の管路における前記噴霧ノズルよりも送水方向上流側で且つ第二の管路接続位置よりも送水方向下流側に設けられた第一の開閉弁と、
前記第一の管路において第二の管路の接続位置よりも送水方向上流側に設けられた第三の開閉弁とを備え、
前記共通ポンプの入側に接続された第三の管路に第四の管路を介して接続された膨張タンク側と、前記各噴霧系列の第一の管路における第三の開閉弁接続位置よりも送水方向下流側で第二の管路接続位置よりも送水方向上流側とは、第二の開閉弁を有する第五の管路及び第五の管路を集合させた第七の管路を介し接続されているものである。
【００２４】
請求項８の水噴霧設備においては、噴霧ノズルの感圧逆止弁は、弾撥体と該弾撥体により押圧されて閉止される弁体とを備え、弁体は前記第一の管路からの水圧により、弾撥体の抗力に抗して開くよう構成されている。
【００２５】
請求項９の水噴霧設備の運転方法においては、水の噴霧を開始する際には、第一の開閉弁を閉止してポンプにより与圧タンクに蓄圧した後、第一の開閉弁を開きポンプ及び与圧タンクからの水圧により噴霧ノズルの感圧逆止弁を開き、水の噴霧を開始する。
【００２６】
請求項１０の水噴霧設備の運転方法においては、
水の噴霧を終了する際には、ポンプを停止すると共に、第二の開閉弁を開いて第一の管路の圧力を膨張タンクに瞬時に逃がすことにより噴霧ノズルの感圧逆止弁に対する水圧を低下させ、噴霧ノズルの感圧逆止弁を閉止させる。
【００２７】
請求項１１の水噴霧設備の運転方法においては、
水の噴霧を開始する際には、第一の開閉弁を閉止してポンプにより与圧タンクに蓄圧した後、第一の開閉弁を開きポンプ及び与圧タンクの水圧により噴霧ノズルの感圧逆止弁を開き水の噴霧を開始し、
水の噴霧を終了する際には、ポンプを停止すると共に、第二の開閉弁を開いて第一の管路の圧力を膨張タンクに瞬時に逃がすことにより噴霧ノズルの感圧逆止弁に対する水圧を低下させ、噴霧ノズルの感圧逆止弁を閉止させる。
【００２８】
請求項１２の水噴霧設備の運転方法においては、水の噴霧を開始する際には、ポンプを起動した状態で第一の開閉弁を開いて与圧タンクに蓄圧すると共に噴霧ノズルの入側の水圧をも上昇させた状態で第一の開閉弁を閉止し、次回からの噴霧ノズルからの水の噴霧時にはポンプの起動時に第一の開閉弁を開いてポンプ及び与圧タンクからの水圧により噴霧ノズルの感圧逆止弁を開き噴霧ノズルから水の噴霧を開始する。
【００２９】
請求項１３の水噴霧設備の運転方法においては、
複数の噴霧系列のうち所定の噴霧系列において水の噴霧を開始する際には、水の噴霧を行わない系列の第三の開閉弁は閉止したまま、共通ポンプが運転されている状態で水の噴霧を行う系列の第三の開閉弁を開くと共に当該系列の第一の開閉弁を閉止した状態で当該系列の与圧タンクに蓄圧し、しかる後、当該系列の第一の開閉弁を開き、共通ポンプ及び当該系列の与圧タンクからの水圧により噴霧ノズルの感圧逆止弁を開き、水の噴霧を開始する。
【００３０】
請求項１４の水噴霧設備の運転方法においては、複数の噴霧系列のうち水の噴霧を行っている所定の噴霧系列において水の噴霧を終了する際には、水の噴霧を行なっていない系列の第三の開閉弁は閉止したまま、共通ポンプが運転されている状態で水の噴霧を終了する系列の第三の開閉弁を閉止すると共に当該系列の第一の開閉弁及び第二の開閉弁を開いた状態で第一の管路の圧力を膨張タンクに瞬時に逃がすことにより噴霧ノズルの感圧逆止弁に対する水圧を低下させ、噴霧ノズルの感圧逆止弁を閉止させる。
【００３１】
請求項１５の水噴霧設備の運転方法においては、複数の噴霧系列のうち所定の噴霧系列において水の噴霧を開始する際には、水の噴霧を行わない系列の第三の開閉弁は閉止したまま、共通ポンプが運転されている状態で水の噴霧を行う系列の第三の開閉弁を開くと共に当該系列の第一の開閉弁及び第二の開閉弁を閉止した状態で当該系列の与圧タンクに蓄圧し、しかる後、当該系列の第一の開閉弁を開いて共通ポンプ及び与圧タンクからの水圧により噴霧ノズルの感圧逆止弁を開いて水の噴霧を開始し、
水の噴霧を行っている当該噴霧系列において水の噴霧を終了する際には、水の噴霧を行なっていない系列の第三の開閉弁は閉止したまま、共通ポンプが運転されている状態で水の噴霧を終了する系列の第三の開閉弁を閉止すると共に当該系列の第一の開閉弁及び第二の開閉弁を開いた状態で第一の管路の圧力を膨張タンクに瞬時に逃がすことにより噴霧ノズルの感圧逆止弁に対する水圧を低下させ、噴霧ノズルの感圧逆止弁を閉止させる。
【００３２】
請求項１６の水噴霧設備の運転方法においては、噴霧ノズルの感圧逆止弁の弁体は、第一の管路の水圧が所定の値よりも低い場合は、弾撥体に押圧されて閉止され、第一の管路の水圧が所定の値よりも高い場合は、弾撥体の弾撥力に抗して開となる。
【発明の効果】
【００３３】
請求項１、４、５、９、１２、１３に記載の発明によれば、噴霧開始時において噴霧ノズルから水が滴下することを防止することができ、請求項２、６、１０、１４に記載の発明によれば、噴霧終了時に噴霧ノズルから水が滴下することを防止することができ、請求項３、７、１１、１５に記載の発明によれば、噴霧開始時及び噴霧終了時の何れにおいても、噴霧ノズルから水が滴下することを防止することができ、又、請求項８、１６の感圧逆止弁は上記全ての請求項に記載の発明に適用することができる。
【発明を実施するための最良の形態】
【００３４】
以下、本発明の実施の形態を図示例と共に説明する。
図１及び図２は本発明の水噴霧設備及び水噴霧設備の運転方法の第一の実施形態例であり、請求項１、９に係るものである。而して、本実施形態例は、水の噴霧開始時に噴霧ノズル５からの水の滴下を防止するようにしている。図中、図１１と同一のものには同一の符号が付してある。又、噴霧ノズル５は、以下に説明する全ての実施形態例において、図１２に示すものと同一の構造である。
【００３５】
而して、本図示例では、第一の管路４には、逆止弁７の設置位置よりも送水方向下流側で、且つ、分岐管路６のうち送水方向最上流側の分岐管路６の接続位置よりも送水方向上流側において、アキュムレータとして機能する与圧タンク２２が第二の管路２３を介して接続されている。又、第一の管路４の第二の管路２３に対する接続位置Ａと、分岐管６のうち送水方向最上流側の分岐管路６の接続位置Ｂとの間には、第一の開閉弁２４が設けられている。２５は第三の管路３に設けられた逆流防止機構、２６は一定湿度以下或は一定温度以上の条件の下で行われる運転時に、適宜、高圧ポンプ２の起動、停止指令や開閉弁２４を開閉する指令を出力し得るようになっていると共に、タイマによってスケジュール運転を行うようになっている制御器である。
【００３６】
次に、上記実施形態例の作動を図２（ａ）〜（ｄ）、図１２をも参照しつつ説明する。  なお、以下の説明では、高圧ポンプ２が停止している場合、第一の管路４等の径路の水圧は約０．２ＭＰａ程度であり、高圧ポンプ２の運転により第一の管路４等の径路が高圧になった場合の水圧は約６ＭＰａ程度である。従って、噴霧ノズル５から噴霧される水Ｗも最高圧力で約６ＭＰａ程度である。又、高圧ポンプの２の起動、停止や第一の開閉弁２４の開閉の指令は制御器２６により与えれらる。
【００３７】
而して、噴霧ノズル５から水Ｗの噴霧を行う場合は、第一の開閉弁２４は閉止させた状態で（図２（ｂ）のｉ参照）、高圧ポンプ２を起動させる（図２（ａ）のｉｉ参照）。このため、水槽１の水Ｗは第三の管路３から高圧ポンプ２に導入され、加圧されて第一の管路４へ送出される。而して、第一の開閉弁２４は閉止されているため、水Ｗは第一の管路４の第一の開閉弁２４よりも下流側には送給されない。その結果、水Ｗは第一の管路４から第二の管路２３を通って与圧タンク２２内へ蓄圧される。すなわち、定常運転開始前の初回の運転開始時或はメンテナンス終了後の運転再開時には、与圧タンク２２内は低圧の状態から高圧の状態へ徐々に蓄圧される（図２（ｃ）のｉｉｉ参照）。又、与圧タンク２２内は一旦蓄圧されると、高圧の状態が保持されるため、次回の水Ｗの噴霧からは、与圧タンク２２内が高圧の状態から開始される（図２（ｃ）のｉｖ参照）。この場合、第一の管路４の第一の開閉弁２４よりも送水方向上流側の部分も、与圧タンク２２と略同一の水圧となる。
【００３８】
定常運転開始前の初回の運転開始時或はメンテナンス後の運転再開時のように、高圧ポンプ２の起動により、与圧タンク２２内が低圧から高圧へと所定の圧力に蓄圧された状態になるか、或は、初回以外又はメンテナンス後の運転再開時以外の高圧に保持された２回目以降の定常運転における水噴射であって、高圧ポンプ２の起動後一定時間経過した場合（図２（ｃ）のｘ参照）には、第一の開閉弁２４が開となり（図２（ｂ）のｖ参照）、第一の管路４の第一の開閉弁２４よりも送水方向上流側から、第一の開閉弁２４下流側の第一の管路４を通り、噴霧ノズル５へ高圧ポンプ２からの水圧と与圧タンク２２に蓄圧されていた水圧が瞬時に作用する（図２（ｄ）のｖｉ参照）。このため、図１２に示す噴霧ノズル５の弁体１８は瞬時に開き、水Ｗは噴霧ノズル５の噴霧孔１１から滴下することなくミストとして噴霧を開始される。与圧タンク２２はアキュムレータとしての機能を備えているため、高圧ポンプ２の脈動を緩和することができる。
【００３９】
噴霧が終了して高圧ポンプ２が停止すると（図２（ａ）のｖｉｉ参照）、同時に第一の開閉弁２４が閉止し（図２（ｂ）のｖｉｉｉ参照）、第一の開閉弁２４よりも送水方向下流側における第一の管路４内及び噴霧ノズル５入側の水圧は徐々に下降する（図２（ｄ）のｘｉ参照）。このため、噴霧ノズル５の噴霧を終了する際には、噴霧ノズル５の弁体１８は一気に閉止されず、徐々に閉止することになり、噴霧ノズル５入側の水圧が所定の圧力よりも下降すると噴霧ノズル５からは水Ｗの滴下が生じる。高圧ポンプ２の停止後、与圧タンク２２の水圧は、第一の開閉弁２４及び逆止弁７並びに逆流防止機構２５により高圧に保持される（図２（ｃ）のｘｉ参照）。
【００４０】
本実施形態例によれば、水Ｗの噴霧開始時において、噴霧ノズル５から水滴となって水Ｗが滴下することを防止することができる。
【００４１】
図３及び図４（ａ）〜（ｄ）は本発明の水噴霧設備及び水噴霧設備の運転方法の第二の実施形態例であり、請求項２、１０に係るものである。而して、第一の実施形態例では、噴霧開始時において噴霧ノズル５からの水の滴下を防止するようにしているが、本実施形態例では、噴霧終了時における噴霧ノズル５からの水の滴下を防止するようにしている。図中、図１と同一のものには同一の符号が付してある。
【００４２】
而して、本実施形態例では、水槽１と高圧ポンプ２を接続する第三の管路３には、逆流防止機構２５と高圧ポンプ２との間において、第四の管路２７を介してアキュムレータとして機能する膨張タンク２８が接続され、第一の管路４には、逆止弁７の設置位置よりも送水方向下流側で、且つ、分岐管路６のうち送水方向最上流側の分岐管路６の接続位置Ｂよりも送水方向上流側において、中途部に第二の開閉弁２９を備えた第五の管路３０が接続され、第五の管路３０先端は第四の管路２７に接続されている。
【００４３】
なお、制御器２６は、一定湿度以下或は一定温度以上の条件の下で行われる運転時に、適宜、高圧ポンプ２の起動、停止指令や第二の開閉弁２９を開閉する指令を出力し得るようになっていると共に、タイマによってスケジュール運転を行うようになっている。
【００４４】
次に、本実施形態例の作動を図４（ａ）〜（ｄ）、図１２をも参照しつつ説明する。
噴霧ノズル５から水Ｗの噴霧を行うために、高圧ポンプ２の運転を開始（図４（ａ）のｘｉｉ参照）する際には、第二の開閉弁２９は閉止している（図４（ｂ）のｘｉｉｉ参照）。このため、水槽１から第三の管路３を通り給水された水Ｗは、高圧ポンプ２で加圧されて第一の管路４、分岐管路６から各噴霧ノズル５へ送給される。この際、第二の開閉弁２９は閉止しているため、膨張タンク２８には第一の管路４及び第五の管路３０から水Ｗによる蓄圧が行われることはなく、しかも、高圧ポンプ２の吸込み圧が第四の管路２７を介して膨張タンク２８に作用しており、膨張タンク２８内の圧力が低下する結果、膨張タンク２８内は低圧（例えば、約０．２ＭＰａ）となる（図４（ｃ）のｘｉｖ参照）。
【００４５】
而して、噴霧ノズル５入側の水圧は、図４（ｄ）のｘｖに示すよう徐々に上昇する。その結果、図１２において説明したように、噴霧ノズル５における感圧逆止弁２０の弁体１８に作用する圧力が、設定圧（例えば、１ＭＰａ）になると、弁体１８が開き始めるが、弁体１８とプラグ１５の座部１５ａとの隙間が小さい間は、水Ｗの水圧が低く、流量が少ないため、中空部１０から溝１６を通って送給された水Ｗは、噴霧孔１１からミストとして噴霧されず、水滴となって滴下する。又、水圧が所定の圧力まで上昇して弁体１８と座部１５ａとの隙間が大きくなると、水Ｗは噴霧孔１１から滴下せずミストとして噴霧が開始される。このため、本実施形態例では、噴霧開始時には、水の滴下が生じることになる。
【００４６】
噴霧が終了して高圧ポンプ２が停止すると（図４（ａ）のｘｖｉ参照）、同時に第二の開閉弁２９が開き（図４（ｂ）のｘｖｉｉ参照）、第一の管路４の水Ｗが有する圧力は、第五の管路３０を通じて膨張タンク２８に瞬時に逃げ、第一の管路４の圧力が低下する。換言すれば、第一の管路４の水Ｗは第五の管路３０から膨張タンク２８へ蓄圧される（図４（ｃ）のｘｖｉｉｉ参照）。この際、膨張タンク２８への蓄圧圧力、延いては噴霧ノズル５入側の水圧は、弁体１８が開き始める圧力である１ＭＰａよりも低い０．５ＭＰａ程度である。その結果、噴霧ノズル５の入側に作用する水圧は瞬時に下降し（図４（ｄ）のｘｉｘ参照）、弾撥体１９により噴霧ノズル５の弁体１８は急閉止する。このため、本形態例においては、噴霧の終了時に噴霧ノズル５から水が水滴として滴下することを防止することができる。なお、高圧ポンプ２の停止により蓄圧される膨張タンク２８の水圧は、水槽１に貯留された水Ｗの高さによる圧力（例えば、０．２ＭＰａ程度）より僅かに高く（例えば、０．５ＭＰａ程度）、その水圧は高圧ポンプ２が停止している間は逆流防止機構２５により保持される。又、水Ｗの噴霧時には、高圧ポンプ２が起動すると、上述したように、高圧ポンプ２の吸込み圧が作用して膨張タンク２８内の圧力が低下するため、再度、０．２ＭＰａ程度に下降する。
【００４７】
図５及び図６（ａ）〜（ｆ）は本発明の水噴霧設備及び水噴霧設備の運転方法の第三の実施形態例であり、請求項３、１１に係るものである。図中、図１、図３と同一のものには同一の符号が付してある。而して、本実施形態例は、噴霧ノズル５による噴霧開始時及び終了時の何れにおいても、噴霧ノズル５からの水の滴下が生じないようにした例であり、具体的には図１の与圧タンク２２の系統と、図３の膨張タンク２８の系統とを合体させたものである。但し、与圧タンク２２に接続された第二の管路２３の第一の管路４に対する接続位置Ａは膨張タンク２８側に接続された第五の管路３０の第一の管路４に対する接続位置Ｃよりも、送水方向下流側にある。
【００４８】
なお、制御器２６は、一定湿度以下或は一定温度以上の条件の下で行われる運転時に、適宜、高圧ポンプ２の起動、停止指令や第一の開閉弁２４、第二の開閉弁２９を開閉する指令を出力し得るようになっていると共に、タイマによってスケジュール運転を行うようになっている。
【００４９】
次に、本実施形態例の作動を図６（ａ）〜（ｆ）、図１２をも参照しつつ説明する。
噴霧ノズル５から水Ｗの噴霧を行う場合は、第一の開閉弁２４、第二の開閉弁２９は何れも閉止させた状態で（図６（ｂ）のｘｘ、図６（ｃ）のｘｘｉ参照）、高圧ポンプ２を起動させる（図６（ａ）のｘｘｉｉ参照）。このため、水槽１の水Ｗは第三の管路３から高圧ポンプ２に導入され、加圧されて第一の管路４へ送出される。而して、第一の開閉弁２４、第二の開閉弁２９は閉止されているため、水Ｗは第一の管路４の第一の開閉弁２４よりも下流側には送給されず、第二の管路２３から与圧タンク２２に供給されて蓄圧される。この場合、第一の管路４の第一の開閉弁２４よりも送水方向上流側の部分も、与圧タンク２２と略同一の水圧となる。
【００５０】
高圧ポンプ２の起動後一定時間が経過して、与圧タンク２２内が所定の圧力に蓄圧された状態になると（図６（ｄ）のｘｘｉｉｉ参照）、第一の開閉弁２４が開となり（図６（ｂ）のｘｘｉｖ参照）、第一の管路４の第一の開閉弁２４よりも流れ方向上流側から、第一の開閉弁２４下流側の第一の管路４を通り噴霧ノズル５へ、高圧ポンプ２からの水圧と与圧タンク２２に蓄圧されていた水圧が瞬時に作用する（図６（ｆ）のｘｘｖ参照）。このため、図１２に示す噴霧ノズル５の弁体１８は瞬時に開き、水Ｗは噴霧ノズル５から滴下することなくミストとして噴霧を開始される。又、高圧ポンプ２が運転されることにより、高圧ポンプ２の吸込み圧が管路２７を介して膨張タンク２８に作用するため、膨張タンク２８内の圧力が低下する結果、膨張タンク２８内は低圧（例えば、約０．２ＭＰａ）となる（図６（ｅ）のｘｘｖｉ参照）。
【００５１】
噴霧が終了して高圧ポンプ２が停止すると（図６（ａ）のｘｘｖｉｉ参照）、第一の開閉弁２４が開いた状態のままで第二の開閉弁２９が開く（図６（ｃ）のｘｘｖｉｉｉ参照）。このため、与圧タンク２２や第一の管路４からの水圧は第五の管路３０を通じて膨張タンク２８に瞬時に逃げて第一の管路４の圧力が低下する。換言すれば、与圧タンク２２や第一の管路４からの水圧は第五の管路３０から膨張タンク２８へ蓄圧され（図６（ｅ）のｘｘｉｘ参照）、与圧タンク２２内は低圧となる（図６（ｄ）のｘｘｘ参照）。この際、膨張タンク２８への蓄圧圧力延いては噴霧ノズル５入側の水圧は、弁体１８が開きはじめる圧力である１ＭＰａよりも低い０．５ＭＰａ程度である。その結果、噴霧ノズル５の弁体１８に作用する水圧は瞬時に下降し（図６（ｆ）のｘｘｘｉ参照）、弾撥体１９により噴霧ノズル５の弁体１８は瞬時に閉止する。このため、本形態例においては、噴霧終了時においても、噴霧ノズル５から水が滴下することはない。
【００５２】
すなわち、本実施形態例によれば、水Ｗの噴霧開始時及び噴霧終了時の両方において、噴霧ノズル５から水Ｗが滴下するのを防止することができる。
【００５３】
図７及び図８（ａ）〜（ｄ）は本発明の水噴霧設備及び水噴霧設備の運転方法の第四の実施形態例であり、請求項４、１２に係るものである。而して、本実施形態例においては、水の噴霧開始時において噴霧ノズル５から水が滴下することを防止するものである。図中、図１と同一のものには同一の符号が付してある。なお、図１の実施形態例では、第一の開閉弁２４を第二の管路２３の第一の管路４に対する接続位置Ａよりも送水方向下流側において管路４に設けているが、本実施形態例では、第一の開閉弁２４を、第一の管路４と与圧タンク２２とを連結する第二の管路２３の中途部に設けている。
【００５４】
なお、本実施形態例においては、制御器２６は、一定湿度以下或は一定温度以上の条件の下で行われる運転時に、適宜、高圧ポンプ２の起動、停止指令や第一の開閉弁２４を開閉する指令を出力し得るようになっていると共に、タイマによってスケジュール運転を行うようになっている。
【００５５】
次に、本実施形態例の作動を図８（ａ）〜（ｄ）、図１２をも参照しつつ説明する。
本実施形態例では、第一の管路４には開閉弁が設けられていないため、定常運転に先立つ最初の運転開始時に、第一の開閉弁２４を開いて高圧ポンプ２を運転すると、水Ｗは第二の管路２３から与圧タンク２２へ送給されて徐々に蓄圧されると共に、噴霧ノズル５へも供給され、その結果、噴霧ノズル５の弁体１８も徐々に開く。このため、定常運転に先立つ最初の運転開始時には、噴霧ノズル５からは水の滴下が生じる。従って、この場合は定常運転に先立って、予め与圧タンク２２に蓄圧を行っておく必要がある。
【００５６】
すなわち、定常運転開始に先立つ最初の運転開始時には、それに先立って各噴霧ノズル５から滴下する水を回収するための手段を仮設しておき、第一の開閉弁２４を開いて高圧ポンプ２を起動する。このため、高圧ポンプ２からの水Ｗは第一の管路４から第二の管路２３を経て予め与圧タンク２２に蓄圧されると共に、第一の管路４から分岐管路６を介して噴霧ノズル５へも供給される。この際、噴霧ノズル５の弁体１８は弾撥体１９の抗力に打ち勝って徐々に開くため、噴霧ノズル５からは水の滴下が生じる。この滴下した水は仮設してある手段により回収する。
【００５７】
而して、与圧タンク２２に所定の状態の蓄圧が行われたら、第一の開閉弁２４を閉止させておき、定常運転に移行する。すなわち、高圧ポンプ２の起動（図８（ａ）のｘｘｘｉｉ参照）と同時に第一の開閉弁２４を開くと（図８（ｂ）のｘｘｘｉｉｉ参照）、高圧ポンプ２からの水圧と与圧タンク２２に蓄圧されていた水圧（図８（ｃ）のｘｘｘｉｖ参照）が瞬時に噴霧ノズル５へ作用する（図８（ａ）のｘｘｘｖ参照）。このため、図１２に示す噴霧ノズル５の弁体１８は瞬時に開き、水Ｗは噴霧ノズル５から滴下することなくミストとして噴霧を開始される。
【００５８】
噴霧が終了して高圧ポンプ２が停止すると（図８（ａ）のｘｘｘｖｉ参照）、同時に開閉弁２４が閉止し（図８（ｂ）のｘｘｘｖｉｉ参照）、第一管路４内及び噴霧ノズル５の水圧は徐々に下降する（図８（ｄ）のｘｘｘｖｉｉｉ参照）。このため、噴霧を終了する際には、噴霧ノズル５の弁体１８は一気に閉止されず、徐々に閉止し、噴霧ノズル５からは水の滴下が生じる。
【００５９】
図９及び図１０（ａ）〜（ｆ）は本発明の水噴霧設備及び水噴霧設備の運転方法の第五の実施形態例であり、請求項５、６、７、１３、１４、１５に係るものである。而して、本実施形態例では、図５の水噴霧設備の噴霧ノズル５、与圧タンク２２、第一の開閉弁２４、第二の開閉２９、制御器２６を複数系列設けると共に、各系列に第三の開閉弁３１を設け、水噴霧設備を並列配置された第一噴霧系列、第二噴霧系列、・・・第Ｎ噴霧系列の複数系列とした例である。
【００６０】
本実施形態例では、水槽１、第三の管路３、逆流防止機構２５、高圧ポンプ２、逆止弁７の系統は、前記各実施形態例と同様の配置で、一系列であり、第一噴霧系列、第二噴霧系列・・・第Ｎ噴霧系列の何れの運転においても共通して使用される。而して、共通ポンプである高圧ポンプ２の吐出側が接続された第六の管路４ａは高圧ポンプ２の出側において分岐されて並列な三系列に分かれ、並列に分かれた各第一の管路４には、送水方向上流側から下流側に向けて順次、第三の開閉弁３１、第一の開閉弁２４が設けられ、各第一の管路４の第一の開閉弁２４よりも送水方向下流側には、並列接続された複数の分岐管路６を介して噴霧ノズル５が接続されている。
【００６１】
各噴霧系列における第一の管路４の第三の開閉弁３１と第一の開閉弁２４との間には、第二の管路２３を介して与圧タンク２２が接続され、与圧タンク２２が接続された第二の管路２３の第一の管路４に対する接続位置Ａよりも送水方向上流側の第三の開閉弁３１側には、中途部に第二の開閉弁２９を備えた第五の管路３０が接続されている。又、第五の管路３０は、第二の開閉弁２９の出側において第七の管路３０ａに合流し、第七の管路３０ａは、高圧ポンプ２の入側において第三の管路３に接続され、先端に膨張タンク２８が設けられた第四の管路２７に接続されている。又、膨張タンク２８は、図９に示すように、高圧ポンプ２側に設ける他に、高圧ポンプ２から離反した系列の水噴霧設備側においては、第七の管路３０ａの端部に直接接続する。３２は第六の管路４ａと第七の管路３０ａとを接続する管路３３の中途部に接続された圧力制御弁である。更に、３４は制御器であって、何れかの系列において水噴霧設備の運転を行う場合は、高圧ポンプ２に起動指令を与えると共に、全ての系列で水の噴霧を行わない場合は、高圧ポンプ２に停止指令を与え得るようになっており、しかも、高圧ポンプ２に起動、停止指令を出力した場合は、各系列の水噴霧設備における制御器２６に対しその旨の指令を与え得るようになっている。
【００６２】
又、制御器２６は、一定湿度以下或は一定温度以上の条件の下で行われる運転時に、適宜、第一の開閉弁２４、第二の開閉弁２９、第三の開閉弁３１を開閉する指令を出力し得るようになっていると共に、タイマによってスケジュール運転を行うようになっている。
【００６３】
次に、本実施形態例の作動を図１０（ａ）〜（ｆ）、図１２をも参照しつつ説明する。  本図示例においては、何れかの噴霧系列において水Ｗの噴霧を行っている場合、共通ポンプである高圧ポンプ２は停止することなく連続運転となる。
【００６４】
例えば、第一噴霧系列の水噴霧設備で水Ｗの噴霧を行い、第二噴霧系列、・・・第Ｎ噴霧系列の水噴霧設備では水Ｗの噴霧を行わない場合は、第一噴霧系列の水噴霧設備においては、第三の開閉弁３１は開となっているが第一の開閉弁２４、第二の開閉弁２９は閉止されている。又、第二噴霧系列、・・・第Ｎ噴霧系列の水噴霧設備の第三の開閉弁３１、第一の開閉弁２４、第二の開閉弁２９は何れも閉止されている。従って、以下の作動は第一噴霧系列の作動である。
【００６５】
而して、第一系列において第三開閉弁３１が開くと（図１０（ｃ）のｘｘｘｉｘ参照）、高圧ポンプ２からの水Ｗは第七の管路４ａから第一系噴霧列の第一の管路４へ送給され、第一の管路４から第二の管路２３を介して与圧タンク２２に蓄圧される（図１０（ｄ）のｘｘｘｘ参照）。而して、与圧タンク２２に所定の蓄圧が行われると第一の開閉弁２４が開くため（図１０（ａ）のｘｘｘｘｉ参照）、高圧ポンプ２からの水Ｗ及び蓄圧されていた与圧タンク２２からの水Ｗの水圧は、第一の管路４、分岐管路６から瞬時に噴霧ノズル５の入側に作用し（図１０（ｆ）のｘｘｘｘｉｉ参照）、噴霧ノズル５の弁体１８は瞬時に開くため、水Ｗは噴霧ノズル５から滴下することなくミストとして噴霧を開始される。又、高圧ポンプ２が運転されることにより、高圧ポンプ２の吸込み圧が第四の管路２７、又は第四の管路２７及び第七の管路３０ａを介して２個の膨張タンク２８に作用するため、膨張タンク２８内の圧力が低下する結果、膨張タンク２８内は低圧（例えば、約０．２ＭＰａ）となる（図１０（ｅ）のｘｘｘｘｉｉｉ参照）。
【００６６】
噴霧が終了すると第三の開閉弁３１が閉止し（図１０（ｃ）のｘｘｘｘｉｖ参照）、第二の開閉弁２９が開く（図１０（ｂ）のｘｘｘｘｖ参照）。このため、第一噴霧系列においては分岐管路６、第一の管路４の第三の開閉弁３１よりも送水方向下流側、与圧タンク２２の水Ｗの水圧は、瞬時に下降し、第二の管路２３から膨張タンク２８に蓄圧される（図１０（ｅ）のｘｘｘｘｖｉ参照）。その結果、噴霧ノズル５の弁体１８の入側に作用する水圧は瞬時に下降し（図１０（ｆ）のｘｘｘｘｖｉｉ参照）、弾撥体１９により噴霧ノズル５の弁体１８は瞬時に閉止する。このため、本形態例においては、噴霧の終了時にも噴霧ノズル５から水が滴下することはない。噴霧ノズル５の弁体１８が閉止したら第一の開閉弁２４、第二の開閉弁２９も閉止される（図１０（ａ）のｘｘｘｘｖｉｉｉ、図１０（ｂ）のｘｘｘｘｉｘ参照）。
【００６７】
上記第五の実施形態例では、第一噴霧系列の水噴霧設備により噴霧を行なう場合について説明しているが、同時に複数系列の水噴霧設備により噴霧を行うようにすることもできる。この場合は、噴霧を行う系列の第三の開閉弁３１が開となって、上述の第一噴霧系列の場合と同様に運転が行われる。又、例えば、図９に示す水噴霧設備の場合、第Ｎ噴霧系列の水噴霧設備は、図の右側に示す膨張タンク２８に近接しており、水圧はこの右側の膨張タンク２８に、より短時間で圧力伝播されるため、噴霧の終了時には、第Ｎ噴霧系列の水圧は図の右側に示されている膨張タンク２８に吸収されることになり、第Ｎ噴霧系列においても噴霧ノズル５からの水Ｗの滴下を確実に防止することができる。
【００６８】
噴霧されている系列が少なくて、高圧ポンプ２から第六の管路４ａへ吐出される水Ｗが過剰な場合には、水Ｗは圧力調整弁３２を通って管路３３、第四の管路２７から第三の管路３側へ戻される。
【００６９】
なお、図９に示す複数の噴霧系列を備えた水噴霧設備では、何れの噴霧系列においても、噴霧ノズルにより噴霧を開始する場合に水の滴下が生じない系列と、噴霧を終了する場合に水の滴下が生じない系列の両方を設ける場合について図示しているが、複数の噴霧系列を備えた水噴霧設備においても、水の噴霧を開始する場合にだけ水の滴下が生じない系列を設ける場合、及び水の噴霧を終了する場合にだけ水の滴下が生じない系列を設ける場合にも適用し得るようにできること、その他、本発明の要旨を逸脱しない範囲内において種々変更を加え得ることは勿論である。
【図面の簡単な説明】
【００７０】
【図１】本発明の水噴霧設備及び水噴霧設備の運転方法の第一の実施形態例の系統図である。
【図２】図２（ａ）〜（ｄ）は図１の水噴霧設備により水の噴霧を行う場合の各機器のタイミングチャートである。
【図３】本発明の水噴霧設備及び水噴霧設備の運転方法の第二の実施形態例の系統図である。
【図４】図４（ａ）〜（ｄ）は図３の水噴霧設備により水の噴霧を行う場合の各機器のタイミングチャートである。
【図５】本発明の水噴霧設備及び水噴霧設備の運転方法の第三の実施形態例の系統図である。
【図６】図６（ａ）〜（ｆ）は図５の水噴霧設備により水の噴霧を行う場合の各機器のタイミングチャートである。
【図７】本発明の水噴霧設備及び水噴霧設備の運転方法の第四の実施形態例の系統図である。
【図８】図８（ａ）〜（ｄ）は図７の水噴霧設備により水の噴霧を行う場合の各機器のタイミングチャートである。
【図９】本発明の水噴霧設備及び水噴霧設備の運転方法の第五の実施形態例の系統図である。
【図１０】図１０（ａ）〜（ｆ）は図９の水噴霧設備により水の噴霧を行う場合の各機器のタイミングチャートである。
【図１１】従来の水噴霧設備の一例の系統図である。
【図１２】従来の水噴霧設備及び本発明の水噴霧設備で使用する噴霧ノズルの縦断面図である。
【図１３】図１２に示す噴霧ノズルが噴霧を行う際の時間と圧力の関係を示すグラフである。
【符号の説明】
【００７１】
２  高圧ポンプ（ポンプ）（共通ポンプ）
３  管路（第三の管路）
４  管路（第一の管路）
４ａ        管路（第六の管路）
５  噴霧ノズル
１８  弁体
１９  弾撥体
２０  感圧逆止弁
２２  与圧タンク
２３  管路（第二の管路）
２４  開閉弁（第一の開閉弁）
２７  管路（第四の管路）
２８  膨張タンク
２９  開閉弁（第二の開閉弁）
３０  管路（第五の管路）
３０ａ        管路（第七の管路）
３１  開閉弁（第三の開閉弁）
Ｗ    水
Ａ    接続位置
【図１】
2010075889.tif 000003
【図２】
2010075889.tif 000004
【図３】
2010075889.tif 000005
【図４】
2010075889.tif 000006
【図５】
2010075889.tif 000007
【図６】
2010075889.tif 000008
【図７】
2010075889.tif 000009
【図８】
2010075889.tif 000010
【図９】
2010075889.tif 000011
【図１０】
2010075889.tif 000012
【図１１】
2010075889.tif 000013
【図１２】
2010075889.tif 000014
【図１３】
2010075889.tif 000015